(57)【要約】本発明の課題は、単一の光源で広い面積を明るく発光させることができるようにすること。本発明は、上側筐体（１）内に設置した単一のＬＥＤ（５１）と、ＬＥＤ（５１）からの光により面状に発光させる上側筐体（１）に設置した発光パネル（４）とを備える通信携帯端末装置であって、発光パネル（４）は、ＬＥＤ（５１）からの光を入射する入射面（４２）とＬＥＤ（５１）からの光を出射させて面状に発光する発光面（４４）とを備えた透光部材（４０）と、透光部材（４０）の入射面（４２）に入射するＬＥＤ（５１）からの光を表裏面間で多数回反射させて発光面（４４）まで導光する透光部材（４０）の表裏面に設けた反射膜（４１）および印刷膜（４３）とを備える。
2005015886.tif 000002
【特許請求の範囲】
【請求項１】
筐体内に設置した単一の光源と、前記光源からの光を導光する前記筐体に設置した導光パネルとを備える通信携帯端末装置において、
前記導光パネルは、
前記光源からの光を入射する裏面に設けた入射部と前記光源からの光を出射させる表面に設けた出射部とを備えた略板状を呈する透光部材と、
前記入射部に入射する前記光源からの光を複数回反射させて前記出射部まで導光する前記透光部材の表裏両面に設けた反射手段と
を備える通信携帯端末装置。
【請求項２】
前記裏面側の反射手段は、前記透光部材の裏面側に反射率の高い固有の色を着色させてある反射印刷部を有する請求項１に記載の通信携帯端末装置。
【請求項３】
前記入射部は、前記光源直上の前記透光部材の裏面を凹状に湾曲させて形成される請求項１または２に記載の通信携帯端末装置。
【請求項４】
透光部材の略中心の表面に設けた反射部材と前記透光部材との表面上の境界に、Ｖ字型のＶ溝を刻設する請求項１から３のいずれか１項に記載の通信携帯端末装置。
【請求項５】
前記筐体は、内側面に液晶表示部を設けた上側筐体と、ヒンジ部で前記上側筐体と回動自在に連結され閉鎖状態のときに前記上側筐体の内側面に対向する内側面に操作キーを設けた下側筐体とを有する折畳可能な構成であって、
前記導光パネルは、前記上側筐体の前記内側面とは反対の外側面に設置され、前記表面の出射部が外部に臨んでいる請求項１から４のいずれか１項に記載の通信携帯端末装置。
【発明の詳細な説明】
【技術分野】  本発明は、通信携帯端末装置に係り、特に通話先からの呼出しやメールの着信などがあったことを、広いエリアで発光させることにより知らせることができる通信携帯端末装置に関するものである。
【背景技術】  携帯電話機では、周知のように、通話相手からの呼出しやメールの着信などがあったことを呼出し音や着信音などで使用者へ知らせることができるようになっている。ところが、使用する場所によってはその音を立てることが好ましくない状況のところもあるので、呼出しや着信を音で知らせる替わりに、振動（バイブレータ）により知らせるものも広く普及している。
また、このような携帯電話機では、前述したような音や振動などによる呼出しや着信の他に、光によっても呼出しや着信を知らせることができるようにするため、光源などを有する発光部を同時に備えたものも知られている。特に、この発光動作などによる呼出しや着信の通知は、前述したように、音を立てるのが好ましくない場所で使用する場合や、音を聞き取り難い或いは音を聞き取れない障害などを持った使用者が使用するのに役立っている。
通常、ＬＥＤなどのような光源を利用して発光部を発光させる場合には、例えば、筐体の一部に小さな発光部を設けて発光させる方法や、ＬＣＤなどのような情報を表示する表示部のうち一部の限られた局所領域を利用してそこを発光させる方法（例えば特開２０００−９８１０５号公報参照）などが知られている。
ところが、例えば前者のような小さな発光部を設けて小面積を発光させると、これを視覚的に認識するのが難しい場合もあり、発光動作を気付くのに遅れて相手からの呼出しに応じようとする前に切られてしまったり、呼出し状態であることを見過ごして通話できないおそれもある。
一方、後者のような表示部を発光させるタイプのものでも、表示部の一部を局所的に発光させる構成であると、前者の場合と同様に、視覚的に気付くのが難しい場合もある。
このような事情から、大きな発光面積を有する発光部を設置することが考えられるが、発光部が大きな面積の場合には、１個の光源（ＬＥＤ）だけによる発光動作では十分な発光光量を得ることが難しいため、大きい面積を発光させようとすると、ＬＥＤから遠い領域は光量が落ちて暗くなり、ＬＥＤ近くのみがはっきりと発光が認識できるようになる。そのため、発光面積を広くしても効果が得られない。そこで、複数個の光源（ＬＥＤ）を設置すれば、大きな面積の発光部でもその発光部全体を十分な光量で発光させることが可能であるが、複数個の光源を使用する分、消費電力の増大により内蔵するバッテリの消耗が多くなる。その結果、１回の充電による携帯電話機の使用可能時間が短くなり、面倒な充電作業を頻繁に行うことが必要となることもある。
そこで、本発明は、上記した事情に鑑み、単一の光源で広い面積を明るく発光させることができる通信携帯端末装置を提供することを目的とするものである。
【発明の開示】
本発明の通信携帯端末装置は、第１に、筐体内に設置した単一の光源と、前記光源からの光を導光する前記筐体に設置した導光パネルとを備える通信携帯端末装置において、前記導光パネルは、前記光源からの光を入射する裏面に設けた入射部と前記光源からの光を出射させる表面に設けた出射部とを備えた略板状を呈する透光部材と、前記入射部に入射する前記光源からの光を複数回反射させて前記出射部まで導光する前記透光部材の表裏両面に設けた反射手段とを備えることを特徴としている。
従って、透光部材内部を透過する光源からの光が、外部へ漏光したり減衰・吸収するなどの現象を起こすことなく、透光部材の表裏両面に設けた反射手段の間で複数回連続的に反射を繰り返えさせることにより、発光部まで伝播させ、発光部を面発光させることができる。
また、本発明の通信携帯端末装置は、第２に、前記裏面側の反射手段が、前記透光部材の裏面側に反射率の高い固有の色を着色させてある反射印刷部を有することを特徴としている。
従って、印刷による簡易な方法で反射手段を成膜することができるので、製造コストの削減を図ることができる。しかも、この反射手段は、反射率が高いものであれば各種の色が選択可能であるので、この印刷色と光源から出射する光の色とを組み合わせることにより、各種の混合色を形成して、発光部から面発光させることも可能になる。
また、本発明の通信携帯端末装置は、第３に、前記入射部が、前記光源直上の前記透光部材の裏面を凹状に湾曲させて形成されることを特徴としている。
従って、光源から出射される光を、透光部材の入射部で各種の方向についてほぼ均等な割合で取り込む（入射する）ことが可能になり、発光部の一部のみに偏って発光することがなく、発光部での均一な面発光を実現することができる。
また、本発明の通信携帯端末装置は、第４に、前記筐体が、内側面に液晶表示部を設けた上側筐体と、ヒンジ部で前記上側筐体と回動自在に連結され閉鎖状態のときに前記上側筐体の内側面に対向する内側面に操作キーを設けた下側筐体とを有する折畳可能な構成であって、前記導光パネルは、前記上側筐体の前記内側面とは反対の外側面に設置され、前記表面の出射部が外部に臨んでいることを特徴としている。
これにより、従来は、例えば筐体部分が折畳タイプのうち折畳んだ状態では液晶表示部が外に露出していない構成の場合であって、液晶表示部の一部を局所的に発光させる構成のものでは、筐体を開いた状態での着信の確認作業が必要であったが、本発明では、筐体を折畳んだ状態でも発光部が外部に露出しているので、発光部の発光状態を折畳んだ状態で確認できるようになる。
【図面の簡単な説明】  図１は、本発明の実施形態に係る折畳式の携帯電話機の一部（上側筐体）を示す平面図であり、
図２は、図１に示す携帯電話機の上側筐体を示す断面図であり、
図３は、図１に示す携帯電話機の上側筐体の要部を示す分解斜視図であり、
図４は、本発明の実施形態に係る折畳式の携帯電話機の上側筐体において、光源からの光を伝播して発光する発光部を含む表示部およびプリント基板などの設置状態を示す断面図であり、
図５は、図４に示す発光部の透光部材において光源からの光を伝播して発光するときの光の進行する光路などを示す説明図である。
なお、図中の符号、１は上側筐体、１１は内側ケース、１２は外側ケース、１２Ａはパネル照明光出射用の孔、１２Ｂは赤外通信光用の通信窓、１２Ｃはカメラ用の撮影窓、２は液晶表示部、２０はＬＣＤ本体、２１はバックライト部、２２は液晶ホルダ、２３は液晶パネル、３はプリント基板、４は発光パネル、４０は透光部材（導光手段）、４１は反射膜（反射手段の一方）、４２は入射面（入射部）、４３は印刷膜（反射手段の他方）、４４は発光面、４５はＶ溝、５１はＬＥＤ（光源）、５２はＩｒＤＡ、５３はカメラ、５４はスピーカ（レシーバ）、５５はバイブレータ、Ｈはヒンジ部、Ｒ１は透光部材４０の中央楕円領域、Ｒ２は透光部材４０の周辺楕円領域、Ｓ１は透光部材４０の表面、Ｓ２は透光部材４０の裏面である。
【発明を実施するための最良の形態】  以下、本発明の実施の形態について、添付図面を参照しながら詳細に説明する。
図１は、本発明の実施形態に係る折畳式の携帯電話機を示すものであり、この携帯電話機は、筐体部分が、図示外の一面（以下、これを内側面とよぶ）に液晶表示部２（図４参照）などを設けた上側筐体１と、図示外の一面（以下、これも内側面とよぶ）に操作用のキーなどを設けた下側筐体と、これらの筐体を回動自在に連結するヒンジ部Ｈとを備えた構成となっている。
上側筐体１は、図２および図３に示すように、大略構成として、内側ケース（上下の筐体１を折畳んで閉じたときに、下側筐体に対向する部分に相当する）１１と、外側ケース１２と、外側ケース１２に固着する発光パネル４とを備えており、内側ケース１１と外側ケース１２の各開口部分を閉じ合わせるような状態で、接合一体化して形成されている。このうち、内側ケース１１には、液晶表示部２が一体に組み付けられており、さらにこの液晶表示部２には、プリント基板３を固着している。
なお、内側ケース１１は、例えばポリカーボネイトなどに適宜の添加剤を添加・混入させた熱可塑性樹脂材料や、ポリカーボネイト、ＡＢＳ或いはマグネシウムなどの樹脂或いは金属等による成形材料を用いて適宜の成形方法、例えば射出成形などにより、略方形状の薄箱型（若しくは浅皿型）形状に形成されており、外側ケース１２と接合するために一方面が開口している。また、この内側ケース１１には、後述する液晶表示部２のＬＣＤ本体２０と対向する一面（図４では下面）の中央部分を大きく開口させた開口部を設けており、この開口部には液晶パネル２３が取り付けてある。
一方、外側ケース１２は、例えばポリカーボネイトやＡＢＳなどの熱可塑性樹脂材料を用いて適宜の成形方法により、同様の略方形状の薄箱型（若しくは浅皿型）形状に形成されており、内側ケース１１と接合するために、外側ケース１２と同様、一方面が開口しているものが使用されている。
液晶（ＬＣＤ）表示部２は、図４に示すように、ＬＣＤ本体２０と、バックライト部２１と、これらを保持する液晶ホルダ２２と、液晶パネル２３とを備えており、ＬＣＤ本体２０とバックライト部２１と液晶ホルダ２２が内側ケース１１と一体化されている。
プリント基板３は、図４に示すように、液晶ホルダ２２の背面に固設されており、図３に示すように、各種の電子部品のほかに、光源であるＬＥＤ（発光ダイオード）５１、ＩｒＤＡ（赤外線データ通信）５２、カメラ５３、スピーカ（レシーバ）５４およびバイブレータ５５などが搭載されている。
このうち、ＬＥＤ５１は、所定波長（λ）の光を出射するものであり、１個のみで発光パネル４の発光動作を行うようになっており、図示外の制御部に接続されてその発光動作が制御されている。なお、このＬＥＤ５１は、所定モードの場合、例えば相手からの通話呼出し時やメールの着信時、或いは送信相手への通話呼出し時やメールの送信時、さらにカメラの撮影時などに、このＬＥＤ５１が発光するようになっている。
なお、これらの搭載部品を覆う前述の外側ケース１２には、図３に示すようにパネル照明光出射用の孔１２Ａ、赤外通信光用の通信窓１２Ｂ、カメラ用の撮影窓１２Ｃが、それぞれ対応する位置に形成されている。
発光パネル４は、着信の際に広くて大きな発光領域を面状に発光させて着信状態を使用者などに通知するものであり、図３、４に示すように外側ケース１２に固着させるようになっている。この発光パネル４は、薄板状、例えば略薄型楕円形状を呈する透明材料、例えばＰＭＭＡ（ポリメチル・メタ・アクリレート）などの基材を用いて透光部材（導光手段を構成する）４０を構成しており、この透光部材４０の表面Ｓ１（図４では上面に相当する）側の中心部から一定範囲の領域（中央楕円領域）Ｒ１は内部からの光を反射させる鏡面を構成している。
一方、この透光部材４０の表面Ｓ１側の中央楕円領域Ｒ１よりも外側の広くて大きな領域（周辺楕円領域）Ｒ２は、ＬＥＤ５１からの光を面全体で発光させることができる発光面４４を構成している。なお、この発光パネル４の表面Ｓ１には、中央楕円領域Ｒ１と周辺楕円領域Ｒ２との境界部分に沿って断面Ｖ字型のＶ溝４５が楕円環状（リング状）に刻設されており、鏡面（中央楕円領域Ｒ１）の周縁部を明るく強調させることができるようになっている。
また、この発光パネル４の透光部材４０には、図４に示すように、表面（図４では上面に相当する）Ｓ１側の中央楕円領域Ｒ１にアルミニウムなどの材料で反射膜（反射手段の一方を構成する）４１を形成させて鏡面加工を施すようになっている。これにより、中央楕円領域Ｒ１内では、ＬＥＤ５１から透光部材４０内部に入射する光が中央楕円領域Ｒ１内では外部へ漏れ出るのを防止しながら、後述する印刷膜４３との間で多数回反射させることで発光面（周辺楕円領域Ｒ２）４４まで伝播させることができるようになっている。なお、この反射膜４１は、透光部材４０を射出成形などで形成する場合に、予め成形型のキャビティに反射膜が塗布成膜されたフィルムをセットしておいて透光部材４０と一体に成形する、いわゆるインサート成形で行うと形成が容易である。
一方、透光部材４０において、この表面Ｓ１側とは反対面である裏面Ｓ２（図４では下面に相当する）側の中央部には、その直下に設けたＬＥＤ５１から出射する光を透光部材４０内の全方向に向けてできるだけ均等に入射させるため、ドーム状の凹状に湾曲した入射面（入射部）４２を形成している。この入射面４２の湾曲形状或いはその曲率などについては、各種の形状或いは曲率値が適宜選択可能であるが、光源であるＬＥＤ５１の出射光量（光強度）分布（例えばガウス（正規）分布など）に合わせて決定してもよい。
さらに、この透光部材４０には、前述したように、入射面４２を除く裏面Ｓ２側の略全面に亙りＬＥＤ５１から入射する光を表面Ｓ１側の反射膜４１との間で多数回反射（多重反射）を繰り返えさせながら（図５参照）透光部材４０内部を伝播させ、表面Ｓ１側の周辺楕円領域Ｒ２からできるだけ均一な面発光状態で出光させるため、反射率の高い白色に印刷させた印刷膜４３（反射手段の他方を構成する）を設けている。この印刷膜４３については、裏面Ｓ２側の全面に亙って設けるだけでなくその縁部側、つまり端面部分にも形成してもよい。
なお、この印刷膜４３については、特に白色に着色させることで、その反射率を可及的に高める構成としたが、できるだけ吸収を抑えて反射率を高めることができる色であれば、特にこの白色に限るものではない。また、表面Ｓ１側の周辺楕円領域Ｒ２である発光面４４において均一な面発光状態を実現するため、印刷膜４３が成膜される透光部材４０裏面Ｓ２部分に微細な凹凸加工を施し、その凹凸部分の上に前述した印刷膜４３を積層印刷してもよい。
また、透光部材４０表面Ｓ１側の反射膜４１の替わりに（或いはその反射膜（鏡面反射部）４１の下層膜として）、光源から出射する光を非常に高い反射率で反射させる、波長（λ）依存性の高い反射手段である誘電体多層膜を設けてもよい。さらに、また裏面Ｓ２側の印刷膜４３についても、白色印刷の替わりに誘電体多層膜で構成してもよく、このような構成とすれば、光源から透光部材４０へ入射して進行する光が透光部材４０の表裏両面では全く吸収されることがないので、効率的に反射させて周辺楕円領域Ｒ２まで伝送させることができ、ＬＥＤ５１からの光を発光面４４から高い照度で効率的に発光させることも可能である。
次に、本実施形態の作用について説明する。
相手からの通話呼出しやメールの着信時、或いは送信相手への通話呼出しやメールの送信時、さらにカメラの撮影時などには、ＬＥＤ５１が発光する。
すると、このＬＥＤ５１から出射する光（例えば、青色の光）が透光部材４０のドーム状の入射面４２へ向けて出射する。そして、この入射面４２へ進行する光は、入射面４２の界面で屈折しながら入射し、透光部材４０内へ進行する。なお、ＬＥＤ５１から入射面４２の中央部へ向けて真っ直ぐ真上へ進行する光については、界面で屈折せずにそのまま透光部材４０内へ入射する。
このようにして透光部材４０へ入射するＬＥＤ５１からの光は、透光部材４０の表面Ｓ１（図５では上面）側の反射膜４１との界面で（正）反射するとともに、ここで反射した光は、透光部材４０の裏面Ｓ２（図５では下面）側の印刷膜４３との界面で（正）反射しながら、次第に透光部材４０の端部方向（厚さ方向に垂直な方向：図５では左右方向）に進行していく。
そして、透光部材４０内を進行する光は、透光部材４０の表面Ｓ１側において中央楕円領域Ｒ１から反射膜４１のない周辺楕円領域Ｒ２へ到達したところで、透光部材４０表面Ｓ１（上面）の発光面４４から外方へ出射していく。即ち、ＬＥＤ５１から出射して透光部材４０に入射する光は、中央楕円領域Ｒ１内では漏出することなく、全て周辺楕円領域Ｒ２である発光面４４とＶ溝４５から出射していくので、発光面４４とＶ溝４５からＬＥＤ５１の光量が落ちることなく発光する。
従って、本実施形態によれば、筐体を折り畳んだ状態で、相手からの通話呼出しやメールの着信などがあったときには、発光パネル４の発光面４４を発光させることで、発光パネル４の輪郭が大きく、さらに光量が落ちずに発光するため、輪郭が明確になり、誰でも確実に着信があったことを視認することができる。
なお、本実施形態では、携帯電話機として、筐体が、上側筐体１と図示外の下側筐体を図示外のヒンジ部で互いに連結させた折畳式のもので構成したが、本発明での筐体は、発光部が大きく確保できるスペースさえあれば、表示部及び操作部などを１つの筐体に設けた棒状式のもので構成しても構わない。また、本発明では、これらの実施形態のような携帯電話機に限定して適用するものではなく、各種の通信携帯端末装置に適用可能であり、複数の光源を必要とせずに単一の光源で光源から遠い領域を明るく発光させることができるようになるので、バッテリの消費電力も必要最小限に抑えられるので、好都合である。
また、ここでは、本発明を詳細にまた特定の実施態様を参照して説明したが、本発明の精神と範囲を逸脱することなく様々な変更や修正を加えることができることは当業者にとって明らかである。
【産業上の利用可能性】  本発明の通信携帯端末装置は、単一の光源で広い面積を明るく発光させることが可能となる効果を有し、通信携帯端末装置に係り、特に発光動作により着信を知らせる通信携帯端末装置などに有用である。
【図１】
2005015886.tif 000003
【図２】
2005015886.tif 000004
【図３】
2005015886.tif 000005
【図４】
2005015886.tif 000006
【図５】
2005015886.tif 000007
【手続補正書】
【提出日】平成18年2月20日(2006.2.20)
【手続補正１】
【補正対象書類名】特許請求の範囲
【補正対象項目名】全文
【補正方法】変更
【補正の内容】
【特許請求の範囲】
【請求項１】
筐体内に設置した光源と、前記光源からの光を導光する前記筐体に設置した導光パネルとを備える通信携帯端末装置において、
前記導光パネルは、
前記光源からの光を入射する裏面に設けた入射部と前記光源からの光を出射させる表面に設けた出射部とを備えた略板状を呈する透光部材と、
前記入射部に入射する前記光源からの光を複数回反射させて前記出射部まで導光する前記透光部材の表裏両面に設けた反射手段と
を備える通信携帯端末装置。
【請求項２】
前記裏面側の反射手段は、前記透光部材の裏面側に反射率の高い固有の色を着色させてある反射印刷部を有する請求項１に記載の通信携帯端末装置。
【請求項３】
前記入射部は、前記光源直上の前記透光部材の裏面を凹状に湾曲させて形成される請求項１または２に記載の通信携帯端末装置。
【請求項４】
透光部材の略中心の表面に設けた反射部材と前記透光部材との表面上の境界に、Ｖ字型のＶ溝を刻設する請求項１から３のいずれか１項に記載の通信携帯端末装置。
【請求項５】
前記筐体は、内側面に液晶表示部を設けた上側筐体と、ヒンジ部で前記上側筐体と回動自在に連結され閉鎖状態のときに前記上側筐体の内側面に対向する内側面に操作キーを設けた下側筐体とを有する折畳可能な構成であって、
前記導光パネルは、前記上側筐体の前記内側面とは反対の外側面に設置され、前記表面の出射部が外部に臨んでいる請求項１から４のいずれか1項に記載の通信携帯端末装置。
【手続補正２】
【補正対象書類名】明細書
【補正対象項目名】全文
【補正方法】変更
【補正の内容】
【書類名】  明細書
【技術分野】
【０００１】
本発明は、通信携帯端末装置に係り、特に通話先からの呼出しやメールの着信などがあったことを、広いエリアで発光させることにより知らせることができる通信携帯端末装置に関するものである。
【背景技術】
【０００２】
携帯電話機では、周知のように、通話相手からの呼出しやメールの着信などがあったことを呼出し音や着信音などで使用者へ知らせることができるようになっている。ところが、使用する場所によってはその音を立てることが好ましくない状況のところもあるので、呼出しや着信を音で知らせる替わりに、振動（バイブレータ）により知らせるものも広く普及している。
【０００３】
また、このような携帯電話機では、前述したような音や振動などによる呼出しや着信の他に、光によっても呼出しや着信を知らせることができるようにするため、光源などを有する発光部を同時に備えたものも知られている。特に、この発光動作などによる呼出しや着信の通知は、前述したように、音を立てるのが好ましくない場所で使用する場合や、音を聞き取り難い或いは音を聞き取れない障害などを持った使用者が使用するのに役立っている。
【０００４】
通常、ＬＥＤなどのような光源を利用して発光部を発光させる場合には、例えば、筐体の一部に小さな発光部を設けて発光させる方法や、ＬＣＤなどのような情報を表示する表示部のうち一部の限られた局所領域を利用してそこを発光させる方法（例えば特開２０００−９８１０５号公報参照）などが知られている。
【０００５】
ところが、例えば前者のような小さな発光部を設けて小面積を発光させると、これを視覚的に認識するのが難しい場合もあり、発光動作を気付くのに遅れて相手からの呼出しに応じようとする前に切られてしまったり、呼出し状態であることを見過ごして通話できないおそれもある。
【０００６】
一方、後者のような表示部を発光させるタイプのものでも、表示部の一部を局所的に発光させる構成であると、前者の場合と同様に、視覚的に気付くのが難しい場合もある。
【０００７】
このような事情から、大きな発光面積を有する発光部を設置することが考えられるが、発光部が大きな面積の場合には、１個の光源（ＬＥＤ）だけによる発光動作では十分な発光光量を得ることが難しいため、大きい面積を発光させようとすると、ＬＥＤから遠い領域は光量が落ちて暗くなり、ＬＥＤ近くのみがはっきりと発光が認識できるようになる。そのため、発光面積を広くしても効果が得られない。そこで、複数個の光源（ＬＥＤ）を設置すれば、大きな面積の発光部でもその発光部全体を十分な光量で発光させることが可能であるが、複数個の光源を使用する分、消費電力の増大により内蔵するバッテリの消耗が多くなる。その結果、１回の充電による携帯電話機の使用可能時間が短くなり、面倒な充電作業を頻繁に行うことが必要となることもある。
【０００８】
そこで、本発明は、上記した事情に鑑み、単一の光源で広い面積を明るく発光させることができる通信携帯端末装置を提供することを目的とするものである。
【発明の開示】
【０００９】
本発明の通信携帯端末装置は、第１に、筐体内に設置した光源と、前記光源からの光を導光する前記筐体に設置した導光パネルとを備える通信携帯端末装置において、前記導光パネルは、前記光源からの光を入射する裏面に設けた入射部と前記光源からの光を出射させる表面に設けた出射部とを備えた略板状を呈する透光部材と、前記入射部に入射する前記光源からの光を複数回反射させて前記出射部まで導光する前記透光部材の表裏両面に設けた反射手段とを備えることを特徴としている。
【００１０】
従って、透光部材内部を透過する光源からの光が、外部へ漏光したり減衰・吸収するなどの現象を起こすことなく、透光部材の表裏両面に設けた反射手段の間で複数回連続的に反射を繰り返えさせることにより、発光部まで伝播させ、発光部を面発光させることができる。
【００１１】
また、本発明の通信携帯端末装置は、第２に、前記裏面側の反射手段が、前記透光部材の裏面側に反射率の高い固有の色を着色させてある反射印刷部を有することを特徴としている。
【００１２】
従って、印刷による簡易な方法で反射手段を成膜することができるので、製造コストの削減を図ることができる。しかも、この反射手段は、反射率が高いものであれば各種の色が選択可能であるので、この印刷色と光源から出射する光の色とを組み合わせることにより、各種の混合色を形成して、発光部から面発光させることも可能になる。
【００１３】
また、本発明の通信携帯端末装置は、第３に、前記入射部が、前記光源直上の前記透光部材の裏面を凹状に湾曲させて形成されることを特徴としている。
【００１４】
従って、光源から出射される光を、透光部材の入射部で各種の方向についてほぼ均等な割合で取り込む（入射する）ことが可能になり、発光部の一部のみに偏って発光することがなく、発光部での均一な面発光を実現することができる。
【００１５】
また、本発明の通信携帯端末装置は、第４に、前記筐体が、内側面に液晶表示部を設けた上側筐体と、ヒンジ部で前記上側筐体と回動自在に連結され閉鎖状態のときに前記上側筐体の内側面に対向する内側面に操作キーを設けた下側筐体とを有する折畳可能な構成であって、前記導光パネルは、前記上側筐体の前記内側面とは反対の外側面に設置され、前記表面の出射部が外部に臨んでいることを特徴としている。
【００１６】
これにより、従来は、例えば筐体部分が折畳タイプのうち折畳んだ状態では液晶表示部が外に露出していない構成の場合であって、液晶表示部の一部を局所的に発光させる構成のものでは、筐体を開いた状態での着信の確認作業が必要であったが、本発明では、筐体を折畳んだ状態でも発光部が外部に露出しているので、発光部の発光状態を折畳んだ状態で確認できるようになる。
【発明の効果】
【００１７】
本発明は、単一の光源で広い面積を明るく発光させることが可能である。
【発明を実施するための最良の形態】
【００１８】
以下、本発明の実施の形態について、添付図面を参照しながら詳細に説明する。
【００１９】
図１は、本発明の実施形態に係る折畳式の携帯電話機を示すものであり、この携帯電話機は、筐体部分が、図示外の一面（以下、これを内側面とよぶ）に液晶表示部２（図4参照）などを設けた上側筐体１と、図示外の一面（以下、これも内側面とよぶ）に操作用のキーなどを設けた下側筐体と、これらの筐体を回動自在に連結するヒンジ部Ｈとを備えた構成となっている。
【００２０】
上側筐体１は、図２および図３に示すように、大略構成として、内側ケース（上下の筐体1を折畳んで閉じたときに、下側筐体に対向する部分に相当する）１１と、外側ケース１２と、外側ケース１２に固着する発光パネル４とを備えており、内側ケース１１と外側ケース１２の各開口部分を閉じ合わせるような状態で、接合一体化して形成されている。このうち、内側ケース１１には、液晶表示部２が一体に組み付けられており、さらにこの液晶表示部２には、プリント基板３を固着している。
【００２１】
なお、内側ケース１１は、例えばポリカーボネイトなどに適宜の添加剤を添加・混入させた熱可塑性樹脂材料や、ポリカーボネイト、ＡＢＳ或いはマグネシウムなどの樹脂或いは金属等による成形材料を用いて適宜の成形方法、例えば射出成形などにより、略方形状の薄箱型（若しくは浅皿型）形状に形成されており、外側ケース１２と接合するために一方面が開口している。また、この内側ケース１１には、後述する液晶表示部２のＬＣＤ本体２０と対向する一面（図４では下面）の中央部分を大きく開口させた開口部を設けており、この開口部には液晶パネル２３が取り付けてある。
【００２２】
一方、外側ケース１２は、例えばポリカーボネイトやＡＢＳなどの熱可塑性樹脂材料を用いて適宜の成形方法により、同様の略方形状の薄箱型（若しくは浅皿型）形状に形成されており、内側ケース１１と接合するために、外側ケース１２と同様、一方面が開口しているものが使用されている。
【００２３】
液晶（ＬＣＤ）表示部２は、図４に示すように、ＬＣＤ本体２０と、バックライト部２１と、これらを保持する液晶ホルダ２２と、液晶パネル２３とを備えており、ＬＣＤ本体２０とバックライト部２１と液晶ホルダ２２が内側ケース１１と一体化されている。
【００２４】
プリント基板３は、図４に示すように、液晶ホルダ２２の背面に固設されており、図３に示すように、各種の電子部品のほかに、光源であるＬＥＤ（発光ダイオード）５１、ＩｒＤＡ（赤外線データ通信）５２、カメラ５３、スピーカ（レシーバ）５４およびバイブレータ５５などが搭載されている。
【００２５】
このうち、ＬＥＤ５１は、所定波長（λ）の光を出射するものであり、１個のみで発光パネル４の発光動作を行うようになっており、図示外の制御部に接続されてその発光動作が制御されている。なお、このＬＥＤ５１は、所定モードの場合、例えば相手からの通話呼出し時やメールの着信時、或いは送信相手への通話呼出し時やメールの送信時、さらにカメラの撮影時などに、このＬＥＤ５１が発光するようになっている。
【００２６】
なお、これらの搭載部品を覆う前述の外側ケース１２には、図３に示すようにパネル照明光出射用の孔１２Ａ、赤外通信光用の通信窓１２Ｂ、カメラ用の撮影窓１２Ｃが、それぞれ対応する位置に形成されている。
【００２７】
発光パネル４は、着信の際に広くて大きな発光領域を面状に発光させて着信状態を使用者などに通知するものであり、図３、４に示すように外側ケース１２に固着させるようになっている。この発光パネル４は、薄板状、例えば略薄型楕円形状を呈する透明材料、例えばＰＭＭＡ（ポリメチル・メタ・アクリレート）などの基材を用いて透光部材（導光手段を構成する）４０を構成しており、この透光部材４０の表面Ｓ１（図４では上面に相当する）側の中心部から一定範囲の領域（中央楕円領域）Ｒ１は内部からの光を反射させる鏡面を構成している。
【００２８】
一方、この透光部材４０の表面Ｓ１側の中央楕円領域Ｒ１よりも外側の広くて大きな領域（周辺楕円領域）Ｒ２は、ＬＥＤ５１からの光を面全体で発光させることができる発光面４４を構成している。なお、この発光パネル４の表面Ｓ１には、中央楕円領域Ｒ１と周辺楕円領域Ｒ２との境界部分に沿って断面Ｖ字型のＶ溝４５が楕円環状（リング状）に刻設されており、鏡面（中央楕円領域Ｒ１）の周縁部を明るく強調させることができるようになっている。
【００２９】
また、この発光パネル４の透光部材４０には、図４に示すように、表面（図４では上面に相当する）Ｓ１側の中央楕円領域Ｒ１にアルミニウムなどの材料で反射膜（反射手段の一方を構成する）４１を形成させて鏡面加工を施すようになっている。これにより、中央楕円領域Ｒ１内では、ＬＥＤ５１から透光部材４０内部に入射する光が中央楕円領域Ｒ１内では外部へ漏れ出るのを防止しながら、後述する印刷膜４３との間で多数回反射させることで発光面（周辺楕円領域Ｒ２）４４まで伝播させることができるようになっている。なお、この反射膜４１は、透光部材４０を射出成形などで形成する場合に、予め成形型のキャビティに反射膜が塗布成膜されたフィルムをセットしておいて透光部材４０と一体に成形する、いわゆるインサート成形で行うと形成が容易である。
【００３０】
一方、透光部材４０において、この表面Ｓ１側とは反対面である裏面Ｓ２（図４では下面に相当する）側の中央部には、その直下に設けたＬＥＤ５１から出射する光を透光部材４０内の全方向に向けてできるだけ均等に入射させるため、ドーム状の凹状に湾曲した入射面（入射部）４２を形成している。この入射面４２の湾曲形状或いはその曲率などについては、各種の形状或いは曲率値が適宜選択可能であるが、光源であるＬＥＤ５１の出射光量（光強度）分布（例えばガウス（正規）分布など）に合わせて決定してもよい。
【００３１】
さらに、この透光部材４０には、前述したように、入射面４２を除く裏面Ｓ２側の略全面に亙りＬＥＤ５１から入射する光を表面Ｓ１側の反射膜４１との間で多数回反射（多重反射）を繰り返えさせながら（図５参照）透光部材４０内部を伝播させ、表面Ｓ１側の周辺楕円領域Ｒ２からできるだけ均一な面発光状態で出光させるため、反射率の高い白色に印刷させた印刷膜４３（反射手段の他方を構成する）を設けている。この印刷膜４３については、裏面Ｓ２側の全面に亙って設けるだけでなくその縁部側、つまり端面部分にも形成してもよい。
【００３２】
なお、この印刷膜４３については、特に白色に着色させることで、その反射率を可及的に高める構成としたが、できるだけ吸収を抑えて反射率を高めることができる色であれば、特にこの白色に限るものではない。また、表面Ｓ１側の周辺楕円領域Ｒ２である発光面４４において均一な面発光状態を実現するため、印刷膜４３が成膜される透光部材４０裏面Ｓ２部分に微細な凹凸加工を施し、その凹凸部分の上に前述した印刷膜４３を積層印刷してもよい。
【００３３】
また、透光部材４０表面Ｓ１側の反射膜４１の替わりに（或いはその反射膜（鏡面反射部）４１の下層膜として）、光源から出射する光を非常に高い反射率で反射させる、波長（λ）依存性の高い反射手段である誘電体多層膜を設けてもよい。さらに、また裏面Ｓ２側の印刷膜４３についても、白色印刷の替わりに誘電体多層膜で構成してもよく、このような構成とすれば、光源から透光部材４０へ入射して進行する光が透光部材４０の表裏両面では全く吸収されることがないので、効率的に反射させて周辺楕円領域Ｒ２まで伝送させることができ、ＬＥＤ５１からの光を発光面４４から高い照度で効率的に発光させることも可能である。
【００３４】
次に、本実施形態の作用について説明する。
【００３５】
相手からの通話呼出しやメールの着信時、或いは送信相手への通話呼出しやメールの送信時、さらにカメラの撮影時などには、ＬＥＤ５１が発光する。
【００３６】
すると、このＬＥＤ５１から出射する光（例えば、青色の光）が透光部材４０のドーム状の入射面４２へ向けて出射する。そして、この入射面４２へ進行する光は、入射面４２の界面で屈折しながら入射し、透光部材４０内へ進行する。なお、ＬＥＤ５１から入射面４２の中央部へ向けて真っ直ぐ真上へ進行する光については、界面で屈折せずにそのまま透光部材４０内へ入射する。
【００３７】
このようにして透光部材４０へ入射するＬＥＤ５１からの光は、透光部材４０の表面Ｓ１（図５では上面）側の反射膜４１との界面で（正）反射するとともに、ここで反射した光は、透光部材４０の裏面Ｓ２（図５では下面）側の印刷膜４３との界面で（正）反射しながら、次第に透光部材４０の端部方向（厚さ方向に垂直な方向：図５では左右方向）に進行していく。
【００３８】
そして、透光部材４０内を進行する光は、透光部材４０の表面Ｓ１側において中央楕円領域Ｒ１から反射膜４１のない周辺楕円領域Ｒ２へ到達したところで、透光部材４０表面Ｓ１（上面）の発光面４４から外方へ出射していく。即ち、ＬＥＤ５１から出射して透光部材４０に入射する光は、中央楕円領域Ｒ１内では漏出することなく、全て周辺楕円領域Ｒ２である発光面４４とＶ溝４５から出射していくので、発光面４４とＶ溝４５からＬＥＤ５１の光量が落ちることなく発光する。
【００３９】
従って、本実施形態によれば、筐体を折り畳んだ状態で、相手からの通話呼出しやメールの着信などがあったときには、発光パネル４の発光面４４を発光させることで、発光パネル４の輪郭が大きく、さらに光量が落ちずに発光するため、輪郭が明瞭になり、誰でも確実に着信があったことを視認することができる。
【００４０】
なお、本実施形態では、携帯電話機として、筐体が、上側筐体１と図示外の下側筐体を図示外のヒンジ部で互いに連結させた折畳式のもので構成したが、本発明での筐体は、発光部が大きく確保できるスペースさえあれば、表示部及び操作部などを１つの筐体に設けた棒状式のもので構成しても構わない。また、本発明では、これらの実施形態のような携帯電話機に限定して適用するものではなく、各種の通信携帯端末装置に適用可能であり、複数の光源を必要とせずに単一の光源で光源から遠い領域を明るく発光させることができるようになるので、バッテリの消費電力も必要最小限に抑えられるので、好都合である。
【００４１】
また、ここでは、本発明を詳細にまた特定の実施態様を参照して説明したが、本発明の精神と範囲を逸脱することなく様々な変更や修正を加えることができることは当業者にとって明らかである。
【産業上の利用可能性】
【００４２】
本発明の通信携帯端末装置は、単一の光源で広い面積を明るく発光させることが可能となる効果を有し、通信携帯端末装置に係り、特に発光動作により着信を知らせる通信携帯端末装置などに有用である。
【図面の簡単な説明】
【００４３】
【図１】  本発明の実施形態に係る折畳式の携帯電話機の一部（上側筐体）を示す平面図である。
【図２】  図１に示す携帯電話機の上側筐体を示す断面図である。
【図３】  図１に示す携帯電話機の上側筐体の要部を示す分解斜視図である。
【図４】  本発明の実施形態に係る折畳式の携帯電話機の上側筐体において、光源からの光を伝播して発光する発光部を含む表示部およびプリント基板などの設置状態を示す断面図である。
【図５】  図４に示す発光部の透光部材において光源からの光を伝播して発光するときの光の進行する光路などを示す説明図である。
【符号の説明】
【００４４】
１      上側筐体
１１    内側ケース
１２    外側ケース
１２Ａ  パネル照明光出射用の孔
１２Ｂ  赤外通信光用の通信窓
１２Ｃ  カメラ用の撮影窓
２      液晶表示部
２０    ＬＣＤ本体
２１    バックライト部
２２    液晶ホルダ
２３    液晶パネル
３      プリント基板
４      発光パネル
４０    透光部材（導光手段）
４１    反射膜（反射手段の一方）
４２    入射面（入射部）
４３    印刷膜（反射手段の他方）
４４    発光面
４５    Ｖ溝
５１    ＬＥＤ（光源）
５２    ＩｒＤＡ
５３    カメラ
５４    スピーカ（レシーバ）
５５    バイブレータ
Ｈ      ヒンジ部
Ｒ１    透光部材４０の中央楕円領域
Ｒ２    透光部材４０の周辺楕円領域
Ｓ１    透光部材４０の表面
Ｓ２    透光部材４０の裏面
【手続補正３】
【補正対象書類名】図面
【補正対象項目名】全図
【補正方法】変更
【補正の内容】
【図１】
2005015886.tif 000008
【図２】
2005015886.tif 000009
【図３】
2005015886.tif 000010
【図４】
2005015886.tif 000011
【図５】
2005015886.tif 000012
【国際調査報告】
2005015886.tif 000013
2005015886.tif 000014
2005015886.tif 000015
2005015886.tif 000016